(57)【要約】      （修正有）【課題】確認画面を動かさずに確認画面で隠れた画面上の削除対象の情報を視認可能な状態に画面表示を制御できる表示制御方法を提供する。【解決手段】画面上に表示された複数のファイルの中から、削除対象とするファイルを特定する操作を受け付け、特定する操作を受け付けたことに応じて、削除対象とするファイルに対する削除処理の実行の許可の入力を受け付ける第一画面領域ＡＲ１と、中止の入力を受け付ける第二画面領域ＡＲ２とを含む確認画面２０を、画面に不透明な状態で重畳して表示する。第一画面領域に対する入力を検出した場合は、確認画面の表示を終了してファイルに対する削除処理を実行し、第二画面領域に対する入力を検出した場合は、確認画面の表示を終了して削除処理を中止し、第一画面領域でも第二画面領域でもない領域ＡＲ３に対する所定の操作を検出している間は確認画面の表示態様を半透明に変更する。【選択図】図１０
2017146750.tif 000002
【特許請求の範囲】
【請求項１】
画面上に表示された複数のファイルの中から、削除対象とするファイルを特定する操作を受け付け、
前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、
前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、
ことを特徴とするコンピュータにより実行される表示制御方法。
【請求項２】
前記所定の操作は、前記確認画面内で、前記第一の画面領域と前記第二の画面領域以外の領域に対するタッチ操作である、
ことを特徴とする、請求項１記載の表示制御方法。
【請求項３】
前記確認画面の背景色の透過度を、前記確認画面が重畳したことにより隠れた前記画面上の情報を視認可能な透過度に変更する、
ことを特徴とする請求項１又は２記載の表示制御方法。
【請求項４】
表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、
前記操作部品以外の領域、又は、前記ダイアログの外部の領域に対する操作に応じて、前記ダイアログの少なくとも一部の透過度を操作前よりも高い透過度に制御する、
ことを特徴とする表示制御方法。
【請求項５】
前記ダイアログの少なくとも一部の透過度を操作前よりも高い透過度に制御した後においても、前記操作部品を操作可能に制御する、
ことを特徴とする請求項４記載の表示制御方法。
【請求項６】
前記ダイアログの背景色の透過度を、前記ダイアログが重畳したことにより隠れた前記表示物の情報を視認可能な透過度に変更する、
ことを特徴とする請求項４又は５記載の表示制御方法。
【請求項７】
画面上に表示された複数のファイルの中から、削除対象とするファイルを特定する操作を受け付け、
前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、
前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、
処理をコンピュータに実行させる表示制御プログラム。
【請求項８】
表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、
前記操作部品以外の領域、又は、前記ダイアログの外部の領域に対する操作に応じて、前記ダイアログの少なくとも一部の透過度を操作前よりも高い透過度に制御する、
処理をコンピュータに実行させる表示制御プログラム。
【請求項９】
画面上に表示された複数のファイルの中から、削除対象とするファイルを特定する操作を受け付ける受付部と、
前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示する表示部と、
前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する制御部と、
を有する端末装置。
【請求項１０】
表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示する表示部と、
前記操作部品以外の領域、又は、前記ダイアログの外部の領域に対する操作に応じて、前記ダイアログの少なくとも一部の透過度を操作前よりも高い透過度に制御する制御部と、
を有する端末装置。
【発明の詳細な説明】
【技術分野】
【０００１】
本件は、表示制御方法、表示制御プログラム、及び端末装置に関する。
【背景技術】
【０００２】
Graphical User Interface（ＧＵＩ）におけるウィンドウの一つに、ユーザに情報を提示し、ユーザに所定の入力を求めるダイアログが知られている。例えばユーザが所定のリストの中から削除対象を選択し、その削除対象を削除する入力を行うと、削除の確認を求めるダイアログを表示する技術が知られている（例えば特許文献１参照）。特許文献１には当該ダイアログを通じてユーザは削除対象に対する削除の実行又は中止を入力することが開示されている。
【０００３】
また、操作ボタンと操作者に対してメッセージを表示するメッセージウィンドウを表示するタッチパネルにおいて、メッセージウィンドウが操作ボタンと重複して表示された場合に、メッセージウィンドウを半透過状態に切り替える技術が知られている（例えば特許文献２参照）。特許文献２にはメッセージウィンドウが半透過状態に切り替えられると、操作者はメッセージウィンドウに隠れた操作ボタンを視認して操作することができる旨が記載されている。
【先行技術文献】
【特許文献】
【０００４】
【特許文献１】特開２００１−０３４４９３号公報
【特許文献２】特開２０１２−０８３８３１号公報
【発明の概要】
【発明が解決しようとする課題】
【０００５】
ところで、上述した確認を求めるダイアログ（以下、確認画面という）を例えばスマートフォンに表示する場合、スマートフォンの画面の大きさはPersonal Computer（ＰＣ）などと比べると小さく、確認画面がスマートフォンの画面を占める割合が大きい。確認画面は画面の中央などユーザが気づきやすい位置に表示されることが多いため、例えば上述した削除の確認を求める確認画面が表示されるとユーザは画面上の削除対象の情報を視認できないという問題点がある。
【０００６】
そこで、１つの側面では、確認画面を動かさずに確認画面で隠れた画面上の削除対象の情報を視認可能な状態に画面表示を制御できる表示制御方法、表示制御プログラム、及び端末装置を提供することを目的とする。
【課題を解決するための手段】
【０００７】
本明細書に開示の表示制御方法は、画面上に表示された複数のファイルの中から、削除対象とするファイルを特定する操作を受け付け、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、ことを特徴とするコンピュータにより実行される表示制御方法である。
【０００８】
本明細書に開示の表示制御方法は、表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、前記操作部品以外の領域、又は、前記ダイアログの外部の領域に対する操作に応じて、前記ダイアログの少なくとも一部の透過度を操作前よりも高い透過度に制御する、
ことを特徴とする表示制御方法である。
【０００９】
本明細書に開示の表示制御プログラムは、画面上に表示された複数のファイルの中から、削除対象とするファイルを特定する操作を受け付け、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、処理をコンピュータに実行させる表示制御プログラムである。
【００１０】
本明細書に開示の表示制御プログラムは、表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、前記操作部品以外の領域、又は、前記ダイアログの外部の領域に対する操作に応じて、前記ダイアログの少なくとも一部の透過度を操作前よりも高い透過度に制御する、処理をコンピュータに実行させる表示制御プログラムである。
【００１１】
本明細書に開示の端末装置は、画面上に表示された複数のファイルの中から、削除対象とするファイルを特定する操作を受け付ける受付部と、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示する表示部と、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する制御部と、を有する端末装置である。
【００１２】
本明細書に開示の端末装置は、表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示する表示部と、前記操作部品以外の領域、又は、前記ダイアログの外部の領域に対する操作に応じて、前記ダイアログの少なくとも一部の透過度を操作前よりも高い透過度に制御する制御部と、を有する端末装置である。
【発明の効果】
【００１３】
本明細書に開示の表示制御方法、表示制御プログラム、及び端末装置によれば、確認画面を動かさずに確認画面で隠れた画面上の削除対象の情報を視認可能な状態に画面表示を制御することができる。
【図面の簡単な説明】
【００１４】
【図１】図１は情報処理システムの一例を説明するための図である。
【図２】図２は端末装置のハードウェア構成の一例である。
【図３】図３は端末装置及びサーバ装置のブロック図の一例である。
【図４】図４は表示画面に対する画面操作の一例である。
【図５】図５は端末装置が実行する処理の一例を示すフローチャートである。
【図６】図６は確認画面の一例である。
【図７】図７は確認画面に対する画面操作の一例である。
【図８】図８は確認画面に対する画面操作の他の一例である。
【図９】図９は表示画面に対する画面操作の他の一例である。
【図１０】図１０は半透明に変更された確認画面の一例である。
【図１１】図１１（ａ）は比較例に係る画面操作の一例を説明するための図である。図１１（ｂ）は実施例に係る画面操作の一例を説明するための図である。
【発明を実施するための形態】
【００１５】
以下、本件を実施するための形態について図面を参照して説明する。
【００１６】
図１は情報処理システムＳの一例を説明するための図である。情報処理システムＳは端末装置１００とサーバ装置２００を備えている。図１では、端末装置１００の一例としてスマートフォンが示されているが、携帯情報端末であれば特に限定されず、スマートウォッチといったスマートデバイス、タブレット端末、ウェアラブルコンピュータなどであってもよい。
【００１７】
端末装置１００とサーバ装置２００は有線ネットワークＮＷ１及び後述する無線ネットワークを介して接続されている。有線ネットワークＮＷ１としては例えばインターネットといった通信ネットワークがある。無線ネットワークとしては例えば携帯電話網といった通信ネットワークがある。したがって、無線通信可能な領域ＡＲ０内に端末装置１００が含まれている場合、端末装置１００はサーバ装置２００と通信することができる。
【００１８】
端末装置１００はサーバ装置２００から送信された各種の情報を受信したり、サーバ装置２００に各種の情報を送信したりする。例えば複数の電子ファイルを記憶するサーバ装置２００に対して端末装置１００が電子ファイルの閲覧を求める閲覧要求を送信すると、サーバ装置２００は閲覧要求を受信する。
【００１９】
より詳しくは、端末装置１００が送信した閲覧要求は無線ネットワークを介して携帯基地局ＢＳが受信する。携帯基地局ＢＳは受信した閲覧要求をサーバ装置２００に向けて転送する。携帯基地局ＢＳが転送した閲覧要求は有線ネットワークＮＷ１を介してサーバ装置２００が受信する。サーバ装置２００は閲覧要求を受信すると、端末装置１００に対し電子ファイルの閲覧を許可する。サーバ装置２００が閲覧要求を受信した場合に、サーバ装置２００は閲覧要求に応じた電子ファイルの一覧や各電子ファイルを端末装置１００に向けて送信してもよい。また、端末装置１００は電子ファイルの削除を求める削除要求を送信してもよい。この場合、サーバ装置２００は削除要求に応じた電子ファイルを削除する。
【００２０】
尚、上述した電子ファイルとしては例えばプログラムファイルやデータファイルなどがある。データファイルとしては、例えば文書ファイル、動画や静止画といった画像ファイル、音声ファイル、電子メールなどがある。また、図１では、サーバ装置２００がクラウドＣＬ上のデータセンターＤＣ内に配備されているが、例えば携帯基地局ＢＳをアクセスポイントに代え、有線ネットワークＮＷ１としてLocal Area Network（ＬＡＮ）を利用すれば、そのＬＡＮにサーバ装置２００が接続されていてもよい。
【００２１】
続いて、図２を参照して、端末装置１００のハードウェア構成について説明する。尚、上述したサーバ装置２００については基本的に端末装置１００と同様のハードウェア構成であるため説明を省略する。
【００２２】
図２は端末装置１００のハードウェア構成の一例である。図２に示すように、端末装置１００は、Central Processing Unit（ＣＰＵ）１００Ａ、Random Access Memory（ＲＡＭ）１００Ｂ、Read Only Memory（ＲＯＭ）１００Ｃ、Electrically Erasable Programmable Read Only Memory（ＥＥＰＲＯＭ）１００Ｄ及び通信回路１００Ｅを含んでいる。通信回路１００Ｅにはアンテナ１００Ｅ´が接続されている。通信回路１００Ｅに代えて通信機能を実現するＣＰＵが利用されてもよい。
【００２３】
また、端末装置１００は、スピーカー１００Ｆ、カメラ１００Ｇ、タッチパネル１００Ｈ、ディスプレイ１００Ｉ、及びマイク１００Ｊを含んでいる。カメラ１００Ｇは、例えばComplementary Metal Oxide Semiconductor（ＣＭＯＳ）やCharge Coupled Device（ＣＣＤ）を用いた撮像素子とレンズなどの光学系とを含んでいる。ＣＰＵ１００Ａ、・・・、マイク１００Ｊは、内部バス１００Ｋによって互いに接続されている。少なくともＣＰＵ１００ＡとＲＡＭ１００Ｂとが協働することによってコンピュータが実現される。
【００２４】
上述したＲＡＭ１００Ｂには、ＲＯＭ１００ＣやＥＥＰＲＯＭ１００Ｄに記憶されたプログラムがＣＰＵ１００Ａによって格納される。格納されたプログラムをＣＰＵ１００Ａが実行することにより、後述する各種の機能が実現され、また、各種の処理が実行される。尚、プログラムは後述するフローチャートに応じたものとすればよい。
【００２５】
次に、図３を参照して、端末装置１００及びサーバ装置２００の各機能について説明する。
【００２６】
図３は端末装置１００及びサーバ装置２００のブロック図の一例である。端末装置１００は、第１記憶部１１０、受付部１２０、表示部１３０、及び制御部１４０を含んでいる。また、サーバ装置２００は、第２記憶部２１０、及び通信部２２０を含んでいる。まず、端末装置１００について説明し、次に、サーバ装置２００について説明する。
【００２７】
第１記憶部１１０は複数の電子ファイルを記憶する。上述したように、電子ファイルとしては、例えばプログラムファイルやデータファイルなどがある。データファイルとしては、例えば文書ファイル、動画や静止画といった画像ファイル、音声ファイル、電子メールなどがある。例えば、第１記憶部１１０は上述した通信回路１００Ｅを介して受信した電子メールを記憶する。例えば、第１記憶部１１０は上述したカメラ１００Ｇによって撮像された動画又は静止画を画像ファイルとして記憶する。例えば、第１記憶部１１０は上述したマイク１００Ｊから取得した音声を音声ファイルとして記憶する。尚、第１記憶部１１０としては例えば上述したＥＥＰＲＯＭ１００Ｄなどがある。
【００２８】
受付部１２０は端末装置１００の表示画面上に表示された複数の電子ファイルの中から、削除対象とする電子ファイルを特定する操作を受け付ける。尚、受付部１２０としては例えば上述したタッチパネル１００Ｈなどがある。
【００２９】
表示部１３０は受付部１２０が電子ファイルを特定する操作を受け付けたことに応じて、確認画面を端末装置１００の表示画面に不透明な状態で重畳して表示する。確認画面は、第１の画面領域（以下、単に第１領域という）と第２の画面領域（以下、第２領域という）をそれぞれ操作部品として確認メッセージとともに含んでいる。第１領域は削除対象とする電子ファイルに対する削除処理の実行の許可の入力を受け付ける。第２領域は削除対象とする電子ファイルに対する削除処理の中止の入力を受け付ける。入力には指示が含まれる。ユーザは第１領域及び第２領域のいずれかを選択することができる。表示部１３０としては例えば上述したディスプレイ１００Ｉなどがある。
【００３０】
制御部１４０は確認画面上の第１領域に対する入力を検出した場合は、確認画面の表示を終了するとともに電子ファイルに対する削除処理を実行する。削除処理の対象になる電子ファイルは第１記憶部１１０に記憶されていてもよいし、第２記憶部２１０に記憶されていてもよい。制御部１４０は確認画面上の第２領域に対する入力を検出した場合は、確認画面の表示を終了するとともに削除処理を中止する。制御部１４０は第１領域でも第２領域でもない確認画面上の第３領域に対する所定の操作を検出している間は、確認画面の少なくとも一部の透過度を操作前よりも高い透過度に制御する。例えば制御部１４０は確認画面の表示態様を半透明に変更する。より詳しくは、制御部１４０は確認画面の背景色の透過度を、確認画面が重畳したことにより隠れた画面上の情報を視認可能な透過度に変更する。
【００３１】
尚、制御部１４０は確認画面の外部の表示画面上の領域に対する操作に応じて、確認画面の少なくとも一部の透過度を操作前よりも高い透過度に制御してもよい。また、制御部１４０は、確認画面の少なくとも一部の透過度を操作前よりも高い透過度に制御した後においても、第１領域及び第２領域の少なくとも一方を操作可能に制御してもよい。制御部１４０としては例えばＣＰＵ１００Ａ、ＲＡＭ１００Ｂ及び通信回路１００Ｅなどがある。所定の操作としては例えばタッチ操作などがある。
【００３２】
第２記憶部２１０は、複数の電子ファイルを記憶する。電子ファイルの内容については基本的に第１記憶部１１０が記憶する電子ファイルと同様である。例えば、第２記憶部２１０は電子メール、上述した通信回路１００Ｅを介して送信された文書ファイルや画像ファイルなどを記憶する。尚、第２記憶部２１０としては例えばHard Disk Drive（ＨＤＤ）などがある。
【００３３】
通信部２２０は制御部１４０と通信する。例えば制御部１４０から上述した閲覧要求が送信されると、通信部２２０は無線ネットワークＮＷ２及び有線ネットワークＮＷ１を経由した閲覧要求を受信する。通信部２２０は閲覧要求を受信すると、第２記憶部２１０に記憶された電子ファイルの閲覧を端末装置１００に許可する。例えば制御部１４０から上述した削除要求が送信されると、通信部２２０は無線ネットワークＮＷ２及び有線ネットワークＮＷ１を経由した削除要求を受信する。通信部２２０は削除要求を受信すると、第２記憶部２１０に記憶された電子ファイルの中から削除要求に応じた電子ファイルを削除する。通信部２２０は制御部１４０から電子ファイルの取得要求を受信した場合には、第２記憶部２１０から取得要求に応じた電子ファイルを抽出し、制御部１４０に向けて送信する。通信部２２０としては例えばＣＰＵ、ＲＡＭ及び通信回路などがある。
【００３４】
次に、図４乃至図１０を参照して、端末装置１００の動作について説明する。
【００３５】
図４は表示画面１０に対する画面操作の一例である。図５は端末装置１００が実行する処理の一例を示すフローチャートである。図６は確認画面２０の一例である。図７は確認画面２０に対する画面操作の一例である。図８は確認画面２０に対する画面操作の他の一例である。図９は表示画面１０に対する画面操作の他の一例である。図１０は半透明に変更された確認画面２０の一例である。
【００３６】
尚、以下では一例として受信ボックス（又は受信トレイ）に保管された電子メールの削除処理について説明するが、削除対象は電子ファイルであれば電子メールに限定されない。例えば電子フォルダ内に保管された複数の文書ファイルや画像ファイルが削除対象になってもよい。
【００３７】
まず、ユーザは受付部１２０に対しメールソフトを起動する操作を行う。メールソフトは電子メールを作成して送信したり、受信した電子メールを管理したりするためのアプリケーションソフトウェアである。当該アプリケーションソフトウェアは例えばメーラーなどと呼ばれることもある。受付部１２０がユーザからの操作を受け付けると、制御部１４０はメールソフトを起動し、電子メールを表示する表示画面１０を表示部１３０に表示させる。この結果、図４に示すように、表示部１３０は受信した電子メールの一覧を示す表示画面１０を表示する。
【００３８】
表示画面１０は、表示物としての複数の電子メール、複数の電子メールの各々と関連付けられた複数のチェックボックスＢＸ１〜ＢＸ４、削除の実行を要求するための操作可能な画像ＩＭ１などを含んでいる。チェックボックスＢＸ１〜ＢＸ４は、削除対象とする電子メールをチェックにより特定するための入力欄である。
【００３９】
ここで、図５に示すように、受付部１２０が削除対象とする電子メール（以下、削除対象メールという）を特定する操作を受け付けると（ステップＳ１０１）、表示部１３０は確認画面２０を表示する（ステップＳ１０２）。より詳しくは、受付部１２０が削除対象メールを特定する操作を受け付けると、制御部１４０は表示部１３０に確認画面２０を表示させ、表示部１３０が確認画面２０を表示する。
【００４０】
例えば、図４に示すように、ユーザがチェックボックスＢＸ３に対し手指ＦＧによりタップするタップ操作を行うと、受付部１２０はチェックボックスＢＸ３と関連付けられた電子メール特定する操作として当該タップ操作を受け付ける。これにより、表示部１３０はチェックボックスＢＸ３にチェックを表示する。その後、図４に示すように、ユーザが削除の実行を要求するために画像ＩＭ１に対し手指ＦＧによりタップ操作を行うと、受付部１２０が当該タップ操作を受け付ける。この結果、制御部１４０は表示部１３０に確認画面２０を表示させ、表示部１３０は、図６に示すように、確認画面２０を表示する。
【００４１】
確認画面２０は上述した第１領域ＡＲ１、第２領域ＡＲ２、及び第３領域ＡＲ３を含んでいる。第１領域ＡＲ１は文字「許可」を含んでいる。第２領域ＡＲ２は文字「中止」を含んでいる。第３領域ＡＲ３は所定の確認メッセージ「『スケジュール』のメールを削除しますか？」を含んでいる。第３領域ＡＲ３は確認画面２０のタイトル部２１を含んでいてもよいし、含んでいなくてもよい。図６に示すように、表示部１３０は確認画面２０を不透明な状態で表示するので、表示画面１０の一部は確認画面２０によって隠れる。このため、確認画面２０によって隠れた表示画面１０の一部については、電子メールに関する詳細な情報をユーザは視認することができない。
【００４２】
ここで、図７に示すように、ユーザが手指ＦＧで第１領域ＡＲ１に対するタップ操作を行うと、図５に示すように、制御部１４０が第１領域ＡＲ１に対する入力を検出し（ステップＳ１０３：ＹＥＳ）、表示部１３０は確認画面２０の表示を終了する（ステップＳ１０４）。ステップＳ１０４の処理が完了すると、制御部１４０は削除対象メールに対する削除処理を実行する（ステップＳ１０５）。より詳しくは、制御部１４０はチェックボックスＢＸ３により削除対象として特定された電子メールを第１記憶部１１０又は第２記憶部２１０から削除する。
【００４３】
一方、図８に示すように、ユーザが手指ＦＧで第２領域ＡＲ２に対するタップ操作を行うと、図５に示すように、制御部１４０は第１領域ＡＲ１に対する入力を検出せずに（ステップＳ１０３：ＮＯ）、第２領域ＡＲ２に対する入力を検出する（ステップＳ１０６：ＹＥＳ）。
【００４４】
例えば、件名「スケジュール」を有する電子メールが多数存在し、その中からユーザが特定の時刻に受信した電子メールの削除を望んでも、確認画面２０には受信した時刻は含まれていない。したがって、受信した時刻を再確認するために、ユーザは第２領域ＡＲ２に対するタップ操作を行い、確認画面２０の表示を終わらせることが想定される。特定の送信者が送信した電子メールの削除をユーザが望んだ場合も同様である。すなわち、削除対象メールの特定を誤っていないかユーザが慎重になる場合、ユーザは第２領域ＡＲ２に対するタップ操作を行うことが想定される。
【００４５】
ステップＳ１０６の処理において、制御部１４０が第２領域ＡＲ２に対する入力を検出すると、表示部１３０は確認画面２０の表示を終了し（ステップＳ１０７）、制御部１４０は削除対象メールに対する削除処理を中止する（ステップＳ１０８）。したがって、表示部１３０は、図９に示すように、チェックが入力された状態のチェックボックスＢＸ３を含む表示画面１０を表示する。
【００４６】
これにより、削除対象メールの特定が誤っていれば、ユーザはチェックボックスＢＸ３に対し再びタップ操作を行ってチェックを外し、例えばチェックボックスＢＸ２に対しタップ操作を行ってチェックを入力する。入力後、又は、削除対象メールの特定が誤っていなければ、図９に示すように、ユーザは削除の実行を要求するために画像ＩＭ１に対し手指ＦＧによりタップ操作を行う。この結果、上述したステップＳ１０１及びＳ１０２の処理が実行される。したがって、表示部１３０は再び確認画面２０を表示する（図６参照）。
【００４７】
ところが、本実施形態では、図１０に示すように、ユーザが手指ＦＧで第３領域ＡＲ３に対するタッチ操作を行うと、図５に示すように、制御部１４０は第２領域ＡＲ２に対する入力を検出せずに（ステップＳ１０６：ＮＯ）、第３領域ＡＲ３に対するタッチ操作を検出する（ステップＳ１０９：ＹＥＳ）。ステップＳ１０９の処理において制御部１４０がタッチ操作を検出すると、制御部１４０は、検出している間、図１０に示すように、確認画面２０の表示態様を半透明に変更する（ステップＳ１１０）。制御部１４０は、確認画面２０の表示態様を半透明に変更する際、併せて第３領域ＡＲ３内のメッセージの表示を停止してもよい。この際、制御部１４０は第１領域ＡＲ１及び第２領域ＡＲ内の文字の表示を停止してもよいし継続してもよい。制御部１４０がタッチ操作を検出している間、電子メールやチェックボックスＢＸ１〜４を操作不能に制御してもよいし、操作可能に制御してもよい。
【００４８】
したがって、件名「スケジュール」を有する電子メールが多数存在し、その中からユーザが特定の時刻に受信した電子メールの削除を望んでいた場合、第３領域ＡＲ３にユーザの手指ＦＧが触れている間、ユーザは受信した時刻を確認することができる。特定の送信者が送信した電子メールの削除をユーザが望んでいた場合も同様である。すなわち、削除対象メールの特定を誤っていないかユーザが慎重になる場合であっても、ユーザは第３領域ＡＲ３に対するタッチ操作を維持しているだけで確認画面２０によって隠れた表示画面１０上の情報を確認できる。
【００４９】
尚、図５に示すように、制御部１４０は第３領域ＡＲ３に対するタッチ操作を検出しなかった場合（ステップＳ１０９：ＮＯ）、又は、ステップＳ１１０の処理を終えると、ステップＳ１０２の処理に戻る。これにより、表示部１３０は不透明な状態の確認画面２０を表示する。したがって、ユーザは第１領域ＡＲ１又は第２領域ＡＲ２のいずれかを選択することで、削除対象メールの削除の許可又は中心を入力することができる。
【００５０】
次に、図１１を参照して、比較例と実施例とを対比して説明する。
【００５１】
図１１（ａ）は比較例に係る画面操作の一例を説明するための図である。図１１（ｂ）は実施例に係る画面操作の一例を説明するための図である。まず、図１１（ａ）に示すように、ユーザは削除対象を特定する操作３１を行い、続いて、削除の実行を要求する操作３２を行う。具体的には、図４を参照して説明したように、ユーザはタップ操作により削除対象とする電子メールのチェックボックスＢＸ３にチェックを入れ、画像ＩＭ１に対するタップ操作を行う。これにより、図６に示すように、表示部１３０は確認画面２０を表示する。
【００５２】
次に、図１１（ａ）に示すように、ユーザは削除対象メールの詳細な情報を確認するために削除の中止を要求する操作３３を行う。具体的には、図８に示すように、ユーザは第２領域ＡＲ２に対するタップ操作を行う。これにより、表示部１３０は確認画面２０の表示を終了する。この結果、図９に示すように、表示画面１０の全体が現れる。
【００５３】
ユーザは削除対象メールの詳細な情報を確認して操作誤りがなかったと判断すると、図１１（ａ）に示すように、再び、削除の実行を要求する操作３４を行う。具体的には、図９に示すように、ユーザは画像ＩＭ１に対するタップ操作を行う。これにより、図６に示すように、表示部１３０は再び確認画面２０を表示する。最後に、削除の実行を許可する操作３５を行う。具体的には、図７に示すように、ユーザは第１領域ＡＲ１に対するタップ操作を行う。これにより、表示部１３０は確認画面２０の表示を終了し、制御部１４０は削除対象とする電子メールを削除する。このように、電子メールを削除する際に慎重な操作を行うユーザであれば５回の操作を行う場合がある。
【００５４】
対照的に実施例では、図１１（ｂ）に示すように、ユーザは削除対象を特定する操作４１を行い、続いて、削除の実行を要求する操作４２を行う。すなわち、比較例で説明した操作と同じである。これにより、表示部１３０は確認画面２０を表示する。次に、ユーザは電子メールの詳細を確認する操作４３を行う。具体的には、図１０に示すように、ユーザは第３領域ＡＲ３に対するタッチ操作を行う。これにより、制御部１４０は確認画面２０の表示態様を半透明に変更する。この結果、確認画面２０によって隠れた表示画面上の詳細な情報をユーザは視認できる。
【００５５】
ユーザは電子メールの詳細な情報を確認して操作誤りがなかったと判断すると、図１１（ｂ）に示すように、削除の実行を許可する操作４４を行う。具体的には、ユーザは第３領域ＡＲ３から手指ＦＧを離し、図７に示すように、第１領域ＡＲ１に対するタップ操作を行う。これにより、表示部１３０は確認画面２０の表示を終了し、制御部１４０は削除対象とする電子メールを削除する。このように、電子メールを削除する際に慎重な操作を行うユーザであっても４回の操作を行えばよく、比較例と対比して操作回数を減らすことができる。
【００５６】
以上、本実施形態によれば、端末装置１００は受付部１２０と表示部１３０と制御部１４０とを備えている。受付部１２０は表示画面１０上に表示された複数の電子ファイルの中から、削除対象とする電子ファイルを特定する操作を受け付ける。表示部１３０は特定する操作を受け付けたことに応じて、確認画面２０を表示画面１０に重畳して表示する。制御部１４０は確認画面２０の第１領域ＡＲ１に対する入力を検出した場合は、確認画面２０の表示を終了するとともに電子ファイルに対する削除処理を実行する。制御部１４０は確認画面２０の第２領域ＡＲ２に対する入力を検出した場合は、確認画面２０の表示を終了するとともに削除処理を中止する。制御部１４０は確認画面２０の第３領域ＡＲ３に対するタッチ操作を検出している間は、確認画面２０の表示態様を半透明に変更する。これにより、確認画面２０を動かさずに確認画面２０で隠れた表示画面１０上の削除対象ファイルの情報を視認可能な状態に画面表示を制御することができる。
【００５７】
以上、本発明の好ましい実施形態について詳述したが、本発明に係る特定の実施形態に限定されるものではなく、特許請求の範囲に記載された本発明の要旨の範囲内において、種々の変形・変更が可能である。
【００５８】
なお、以上の説明に関して更に以下の付記を開示する。
（付記１）画面上に表示された複数のファイルの中から、削除対象とするファイルを特定する操作を受け付け、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、ことを特徴とするコンピュータにより実行される表示制御方法。
（付記２）前記所定の操作は、前記確認画面内で、前記第一の画面領域と前記第二の画面領域以外の領域に対するタッチ操作である、ことを特徴とする、付記１記載の表示制御方法。
（付記３）前記確認画面の背景色の透過度を、前記確認画面が重畳したことにより隠れた前記画面上の情報を視認可能な透過度に変更する、ことを特徴とする付記１又は２記載の表示制御方法。
（付記４）表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、前記操作部品以外の領域、又は、前記ダイアログの外部の領域に対する操作に応じて、前記ダイアログの少なくとも一部の透過度を操作前よりも高い透過度に制御する、ことを特徴とする表示制御方法。
（付記５）前記ダイアログの少なくとも一部の透過度を操作前よりも高い透過度に制御した後においても、前記操作部品を操作可能に制御する、
ことを特徴とする付記４記載の表示制御方法。
（付記６）前記ダイアログの背景色の透過度を、前記ダイアログが重畳したことにより隠れた前記表示物の情報を視認可能な透過度に変更する、
ことを特徴とする付記４又は５記載の表示制御方法。
（付記７）画面上に表示された複数のファイルの中から、削除対象とするファイルを特定する操作を受け付け、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示し、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する、処理をコンピュータに実行させる表示制御プログラム。
（付記８）表示部に表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示し、前記操作部品以外の領域、又は、前記ダイアログの外部の領域に対する操作に応じて、前記ダイアログの少なくとも一部の透過度を操作前よりも高い透過度に制御する、処理をコンピュータに実行させる表示制御プログラム。
（付記９）画面上に表示された複数のファイルの中から、削除対象とするファイルを特定する操作を受け付ける受付部と、前記特定する操作を受け付けたことに応じて、前記削除対象とするファイルに対する削除処理の実行の許可の入力を受け付ける第一の画面領域と、中止の入力を受け付ける第二の画面領域とを含む確認画面を、前記画面に不透明な状態で重畳して表示する表示部と、前記確認画面の、前記第一の画面領域に対する入力を検出した場合は、前記確認画面の表示を終了するとともに前記ファイルに対する削除処理を実行し、前記第二の画面領域に対する入力を検出した場合は、前記確認画面の表示を終了するとともに削除処理を中止し、前記第一の画面領域でも前記第二の画面領域でもない領域に対する所定の操作を検出している間は、前記確認画面の表示態様を半透明に変更する制御部と、を有する端末装置。
（付記１０）前記所定の操作は、前記確認画面内で、前記第一の画面領域と前記第二の画面領域以外の領域に対するタッチ操作である、ことを特徴とする、付記９記載の端末装置。
（付記１１）前記制御部は、前記確認画面の背景色の透過度を、前記確認画面が重畳したことにより隠れた前記画面上の情報を視認可能な透過度に変更する、ことを特徴とする付記９又は１０記載の端末装置。
（付記１２）表示されたいずれかの表示物に対する処理の指示に応じて、前記表示物に対する前記処理の指示に応じた処理を実行するか否かについての確認メッセージと、前記処理を実行するか否か選択可能な操作部品とを含むダイアログを前記表示物に対して重畳的に表示する表示部と、前記操作部品以外の領域、又は、前記ダイアログの外部の領域に対する操作に応じて、前記ダイアログの少なくとも一部の透過度を操作前よりも高い透過度に制御する制御部と、を有する端末装置。
（付記１３）前記制御部は、前記ダイアログの少なくとも一部の透過度を操作前よりも高い透過度に制御した後においても、前記操作部品を操作可能に制御する、ことを特徴とする付記１２記載の端末装置。
（付記１４）前記制御部は、前記ダイアログの背景色の透過度を、前記ダイアログが重畳したことにより隠れた前記表示物の情報を視認可能な透過度に変更する、ことを特徴とする付記１２又は１３記載の端末装置。
【符号の説明】
【００５９】
Ｓ  情報処理システム
１００  端末装置
１１０  第１記憶部
１２０  受付部
１３０  表示部
１４０  制御部
２００  サーバ装置
２１０  第２記憶部
２２０  通信部
【図１】
2017146750.tif 000003
【図２】
2017146750.tif 000004
【図３】
2017146750.tif 000005
【図４】
2017146750.tif 000006
【図５】
2017146750.tif 000007
【図６】
2017146750.tif 000008
【図７】
2017146750.tif 000009
【図８】
2017146750.tif 000010
【図９】
2017146750.tif 000011
【図１０】
2017146750.tif 000012
【図１１】
2017146750.tif 000013